(57)【要約】【課題】吸水性部材の装着位置の安定性が高く、かつ着用時の不快感の少ない、吸水性部材を備える下着の提供。【解決手段】下半身に着用可能な下着であって、本体部と、該本体部内側に備えられた吸水部と、からなり、前記本体部の前側中央部に位置するように、前記吸水部は前記本体部に吊着されている、下着を提供する。この下着においては、吊着された吸水性部材が男性器の動きに追従することによって、装着位置が安定し、かつ着用時の不快感が少ない。【選択図】図４
2013227686.tif 000002
【特許請求の範囲】
【請求項１】
下半身に着用可能な下着であって、
本体部と、該本体部内側に備えられた吸水部と、からなり、
前記本体部の前側中央部に位置するように、前記吸水部は前記本体部に吊着されている、下着。
【請求項２】
前記吸水部は、前記本体部に着脱可能である、請求項１記載の下着。
【請求項３】
弾性を有する部材を備え、可撓性を有する前記吸水部は、
男性器に定着可能となるよう湾曲面が形成され、
該湾曲面の天頂が前記本体部の前側中央部と対向している、請求項１又は２記載の下着。
【請求項４】
前記本体部の前側中央部に、前記本体部外側の方向に膨らんだ膨出部が設けられている、請求項３記載の下着。
【請求項５】
前記吸水部は、前記本体部の股部を覆わない構成である、請求項４記載の下着。
【請求項６】
前記吸水部は、連結部を介して前記本体部に接続し、
該連結部は、前記本体部の内側に設けられた被覆部材に覆われている、請求項２から６の何れか一項に記載の下着。
【発明の詳細な説明】
【技術分野】
【０００１】
本発明は、下着に関する。より詳しくは、吸水体が内側に備えられた下着に関する。
【背景技術】
【０００２】
排尿障害の一種である尿失禁とは、尿の不随意性の流出であり、排尿を制御できない状態のことである。例えば、切迫性尿失禁においては、緊急に抑制できない尿意が起こり、尿漏れを生じる。また、腹圧性尿失禁においては、くしゃみをしたり、荷物を持ち上げたりして力んだ際、膀胱に圧力が加わり尿漏れを生じる。
【０００３】
排尿準備が間に合わない場合、漏れ出した尿は下着に吸収される。しかし、下着が吸収可能な量を超えて尿が漏れ出た場合は、尿が着衣を汚してしまう。介護を必要とする障害者や高齢者は、排尿準備が間に合わずに排尿することによって尿で着衣を汚すことを防ぐために、いわゆる「おむつ」を使用することがある。しかし、「おむつ」を使用することは尿失禁患者にとって心理的負担が重い。そこで、パッド等の尿の吸収が可能な吸水性部材を通常の下着に装着することがある。
【０００４】
尿失禁対策として使用される一般的な吸水性部材は、尿が排出される外尿道口に対応する下着の股部分等の位置に装着可能なシート状の部材である。その他、男性と女性とでは外部生殖器の形状が異なるため、吸水性部材が確実に尿を受けるために、男性器の形状に合わせた構造を有する吸水性部材も提案されてきた。
【０００５】
例えば、特許文献１には、「自由端及び固定端を有する立体フラップが、尿パッドの上端縁に沿って形成され、前記立体フラップに、スリット及び破断によりスリットを形成し得るミシン目の群から選択される少なくとも一種が配置されている男性用尿パッド」が開示されている。この特許文献１に係る男性用尿パッドは、男性器を貫通させるスリット部分を設けることによって、尿パッドの男性器に対する固定効果が高い。
【０００６】
一方、男性が尿失禁対策として吸水性部材を使用する際に、吸水性部材の装着位置を安定させるために、吸水性部材が取り付けられる下着の構造についても提案されてきた。例えば、特許文献２には、男性器に装着された吸収パッドを固定する固定手段が備えられた吸水パッド用パンツが開示されている。
【０００７】
吸水性部材と、該吸水性部材が取り付けられる下着の構造については、吸水性部材の装着の安定性に加え、着用者の不快感の低減も求められる。特許文献３に開示された「失禁者用パンツ」では、吸収パッドがパンツ本体部の内側に股間の前後に渡って吊り下げられた状態で装着されることにより、男性器周辺へのフィット感が向上する。
【先行技術文献】
【特許文献】
【０００８】
【特許文献１】特開２００７−６８６４３号公報
【特許文献２】特開２００７−１１７３２５号公報
【特許文献３】特開２００４−９７４２７号公報
【発明の概要】
【発明が解決しようとする課題】
【０００９】
本発明は、吸水性部材の装着位置の安定性が高く、かつ着用時の不快感の少ない、吸水性部材を備える下着を提供することを主な目的とする。
【課題を解決するための手段】
【００１０】
上記課題解決のため、本発明は、下半身に着用可能な下着であって、本体部と、該本体部内側に備えられた吸水部と、からなり、前記本体部の前側中央部に位置するように、前記吸水部は前記本体部に吊着されている、下着を提供する。
前記吸水部は、前記本体部に着脱可能であることが好ましい。
前記吸水部は、弾性を有する部材を備え、可撓性を有し、また、男性器に定着可能となるよう吸水部に湾曲面が形成され、該湾曲面の天頂が前記本体部の前側中央部と対向していても良い。
また、前記本体部の前側中央部に、前記本体部外側の方向に膨らんだ膨出部が設けられていても良い。
前記吸水部は、前記本体部の股部を覆わない構成であっても良い。
また、前記吸水部は、連結部を介して前記本体部に接続し、該連結部は、前記本体部の内側に設けられた被覆部材に覆われていても良い。
【発明の効果】
【００１１】
本発明により、吊着された吸水性部材が男性器の動きに追従することによって、装着位置が安定し、かつ着用時の不快感の少ない下着が提供される。
【図面の簡単な説明】
【００１２】
【図１】本発明に係る下着Ｗの平面模式図である。（Ａ）は正面図であり、（Ｂ）は背面図である。
【図２】下着Ｗに備えられる吸水部２ａの構造を説明するための模式図である。（Ａ）は斜視図であり、（Ｂ）は（Ａ）のＱ１−Ｑ１線の矢視断面図であり、（Ｃ）は（Ａ）のＱ２−Ｑ２線の矢視断面図である。
【図３】吸水部２ａの層構造の模式図である。（Ａ）は、吸水部２ａの吸水機能を説明するための図であり、（Ｂ）は、実施形態に係る吸水部２ａの層構造を説明するための図である。
【図４】下着Ｗ前側の内側の平面模式図である。（Ａ）は、吸水部２ａが本体部１ａに取り付けられていない状態であり、（Ｂ）は、吸水部２ａが本体部１ａに取り付けられた状態である。
【図５】下着Ｗの図１（Ａ）Ｐ−Ｐ線の矢視断面模式図である。
【図６】本体部１ａの変形実施形態を説明するための模式図である。
【図７】連結部３２ａの変形実施形態を説明するための模式図である。
【発明を実施するための形態】
【００１３】
以下、本発明を実施するための好適な形態について説明する。なお、以下に説明する実施形態は、本発明の代表的な実施形態を示したものであり、これにより本発明の範囲が狭く解釈されることはない。説明は以下の順序で行う。
１．本発明に係る下着Ｗの構成について
（１）本体部１ａ
（２）吸水部２ａ
（３）連結部３１ａ，３２ａ
（４）本体部１ａ内側における吸水部２ａの吊着位置
２．本体部１ａの変形実施形態
３．連結部３２ａの変形実施形態
【００１４】
１．本発明に係る下着Ｗの構成について
図１は、本発明に係る下着Ｗの平面模式図である。下着Ｗは、下半身に着用可能な下着であり、大別すると、本体部１ａと、本体部１ａの内側に備えられた吸水部２ａと、から構成されている。以下、下着Ｗの各構成について、順に説明する。
【００１５】
（１）本体部１ａ
図１（Ａ）は、下着Ｗの正面図であり、図１（Ｂ）は、背面図である。図１（Ａ）及び（Ｂ）に示す本体部１ａは、着用者の腹側に配される前身頃１１Ｌ，１１Ｒ及び着用者の背側に配される後身頃１２と、前身頃１１Ｌ，１１Ｒと後身頃１２との間に位置する脇部１３Ｌ，１３Ｒ及び股部１４の各生地が縫着されている。本発明に係る下着Ｗにおいては、説明の便宜上、前身頃が設けられる側を前側、後身頃が設けられる側を後側と称する。腰部１５は、本体部１ａにおいて着用者の腰付近に対応する部分であり、本体部１ａの開口部分に周設されている。膨出部１６は、本体部１ａの前身頃１１Ｌ，１１Ｒが配される前側の中央部に設けられていて、本体部１ａ外側の方向に膨らむように形成されている。膨出部１６は、例えば、図１（Ａ）に示すように、膨出部１６Ｌと膨出部１６Ｒの各生地が縫着されて形成されていても良い。
【００１６】
前身頃１１Ｌ，１１Ｒ、後身頃１２、脇部１３Ｌ，１３Ｒ、股部１４及び膨出部１６Ｌ，１６Ｒを構成する生地については、綿、麻等の天然繊維、レーヨン、アセテート等の再生繊維、ナイロン、ポリエステル等の合成繊維など、衣類の生地として使用可能な材料から、適宜選択できる。また、二種類以上の異なる材料を組み合わせた複合繊維を用いても良く、例えば、前身頃１１Ｌ，１１Ｒに天然繊維からなる生地を選択し、股部１４に合成繊維からなる生地を選択するなど、異なる材質の生地を本体部１ａの構成部分に応じて使い分けても良い。なお、腰部１５には、下着Ｗの着用時における本体部１ａの着用位置の安定性と、下着Ｗの着脱の簡便性を得るために、例えば、天然ゴムなどを含む弾性材を選択することが好ましい。
【００１７】
本発明に係る下着Ｗの本体部１ａは、図１（Ａ）及び図１（Ｂ）に示す前身頃１１Ｌ，１１Ｒ等の８つの生地からなる構成には限定されず、例えば、脇部１３Ｌ，１３Ｒが前身頃１１Ｌ，１１Ｒと一体となって裁断された生地が本体部１ａに含まれていても良い。また、膨出部１６は本体部１ａに必須の構成ではなく、伸縮性の高い生地を本体部１ａの材料に選択するなどして、本体部１ａの膨出部１６に対応する部分が、本体部１ａ外面に向かって膨出可能なように構成されていれば良い。一体成型された本体部１ａを本発明に係る下着Ｗに用いることもでき、本体部１ａが一体成型品である場合であっても、着用者の腹側に配される部分を前側、着用者の背側に配される部分を後側とする。
【００１８】
（２）吸水部２ａ
次に、吸水部２ａの構造について、図２及び図３を参照しながら説明する。図２（Ａ）は、吸水部２ａを着用者の右側に位置する側から見た斜視図である。図２（Ｂ）は、図２（Ａ）のＱ１−Ｑ１線の矢視断面図であり、図２（Ｃ）は、図２（Ａ）のＱ２−Ｑ２線の矢視断面図である。図２（Ａ）に示すように、吸水部２ａは平面視略楕円形に形成され、長手方向の一端に連結部３２ａが設けられている。連結部３２ａについては、後述する。
【００１９】
図２（Ｂ）に、吸水部２ａの断面を模式的に示す。尿等の分泌物を吸収する吸水部２ａには、男性器に定着可能となるよう湾曲面が形成されている。吸水部２ａの空間Ｅ１を有する側を、吸水部２ａの内側と称する。吸水部２ａの構造は、図２に示す形状に限定されず、湾曲面によって形成される空間Ｅ１に、男性器が定着可能な形状であれば、何れの形状とすることもできる。なお、本発明に係る下着Ｗの説明において、「男性器」とは、男性の外部生殖器を指し、基本的に陰茎及び陰嚢を含む意味として用いるが、陰茎のみの意味で用いる場合もある。
【００２０】
吸水部２ａの内側には、弾性を有する凸部２１Ｌ，２１Ｒが備えられていることが好ましい（図２（Ｃ）参照）。凸部２１Ｌ，２１Ｒが、緩衝材として機能するため、吸水部２ａの男性器への装着感がより優れたものとなる。また、男性器の吸水部２ａとの接触部分の形状に合わせて凸部２１Ｌ，２１Ｒが設けられることによって、吸水部２ａと男性器とが接触位置が下着Ｗの着用中にずれにくくなり、吸水部２ａの男性器への定着性が向上する。
【００２１】
図３に、吸水部２ａの層構造を模式的に示す。先ず、図３（Ａ）を参照しながら、本発明に係る下着Ｗの吸水部２ａの吸水機能について説明する。
【００２２】
吸水部２ａは、尿等の分泌物を吸収する機能を備えるために、透水層２１１と保水層２１３とを有している。透水層２１１は、吸水部２ａの最も内側を構成する層であり、透水層２１１の接触面２１１Ｓは、着用者の肌に接触する。尿などの水分は、透水層２１１の接触面２１１Ｓから、透水層２１１へ浸透する。透水層２１１へ浸透した水分は、透水層２１１を構成する繊維内又は繊維間を移動し、拡散しながら透水層２１１に積層された保水層２１３へ到達して、吸収される。保水層２１３に吸収された水分は、保水層２１３に保持される。
【００２３】
本発明に係る下着Ｗに備えられた吸水部２ａが水分を吸収するためには、吸水部２ａが、少なくとも上記の透水層２１１と保水層２１３の２層を有していれば良い。透水層２１１には、浸透した水分が再び接触面２１１Ｓ側へ逆流することが少ない材料を選択することが好ましい。水分が逆流しない材料を透水層２１１に用いることで、吸水部２ａが尿を吸収した後も、透水層２１１の接触面２１１Ｓは、尿漏れ以前の状態に近い乾燥した状態が保たれ、着用者の不快感が低減する。透水層２１１には、例えば、ポリエステルやナイロンを用いることができる。透水層２１１には、特に、ウェーブロン（登録商標）が好ましい。保水層２１３には、水分を吸収可能な材料を用いることが好ましく、例えば、セルロースやポリエステルなどからなる中綿が使用できる。保水層２１３には、特に、ベルオアシス（登録商標）が好適である。
【００２４】
吸水部２ａは、上記の２層以外に、男性器への定着性や吸水部２ａの形状の安定性等の目的のために、他の層が含まれていても良く、吸水部２ａの吸水機能を妨げなければ、吸水部２ａの層の構成は限定されない。本発明に係る下着Ｗの吸水部２ａの層構造について、好適な形態を以下に述べる。
【００２５】
吸水部２ａは、機能の異なる６層によって構成されている。図３（Ｂ）に示すように、吸水部２ａは、着用者の肌に接する内側から順に、透水層２１１、弾性層２１２、保水層２１３、弾性層２１４、透湿層２１５、基材２１６が積層されてなる。透水層２１１と保水層２１３、保水層２１３と透湿層２１５との間に各々設けられた弾性層２１２と弾性層２１４は、弾性を有する材料からなる。弾性層２１２，２１４が吸水部２ａの層構造に組み込まれることによって、吸水部２ａへ適度な可撓性が付与される。吸水部２ａが可撓性を有することによって、下着Ｗの装着中に、吸水部２ａは男性器への定着に適切な形状が保持される。さらに、弾性層２１２，２１４が吸水部２ａの層構成に含まれることによって、吸水部２ａの成型において、弾性層２１２，２１４が伸びるため、吸水部２ａの加工性が容易となる。
【００２６】
弾性層２１２，２１４は、水分や空気の透過が可能な隙間を有していることが好ましい。弾性層２１２，２１４が水分を透過可能であることによって、前述の吸水機能に係る透水層２１１と保水層２１３との間に弾性層２１２を設けてた場合であっても、吸水部２ａの吸水機能が妨げられない。弾性層２１２，２１４には、吸水性を有する材料を用いても良い。吸水性を有する弾性層２１２と弾性層２１４で保水層２１３で挟むことによって、保水層２１３で水分が保持しきれない場合であっても、弾性層２１２，２１４によって吸水部２ａ外への水分の漏れが防止される。弾性層の材料としては、例えば、ポリウレタンや、エルク（登録商標）などのポリエステル不織布が選択できる。
【００２７】
吸水部２ａからの水分の漏れを防止し、かつ吸水部２ａの通気性を高めるために、吸水部２ａを構成する層の最も外側には、水は透過できず、湿気のみを透過可能な透湿層２１５が積層されていても良い。また、例えば、透湿層２１５が、ポリウレタン系などのフィルム状の材料の場合には、吸水部２ａの成型時の取扱いを簡便にするために、透湿層２１５をポリエステルなどからなる基材２１６でコーティングしても良い。
【００２８】
吸水部２ａを構成する各層の接着は、上記の吸水性能を妨げない接着方法であれば、何れの接着方法を用いても良い。接着剤としては、例えば、ホットメルト型接着剤や湿気硬化型接着剤が使用できる。特に湿気硬化型ポリウレタンからなる接着剤が好適である。接着剤は、各層の界面に、界面全体が接着剤で被膜されないように、渦状や波状、ジグザグ状、ドット状、縞状のうち何れかの態様で塗布されていることが好ましい。
【００２９】
（３）連結部３１ａ，３２ａ
本発明に係る下着Ｗにおいては、本体部１ａに連結部３１ａが設けられ、吸水部２ａに連結部３２ａが設けられ、各々の連結部３１ａ，３２ａを介して、吸水部２ａが本体部１ａに着脱可能となるように構成されていても良い。本発明の下着Ｗにおける連結部３１ａ，３２ａについて、図４を参照しながら説明する。
【００３０】
図４は、図１（Ａ）に示す下着Ｗの正面図の内側を図示している。図４（Ａ）は、本体部１ａに吸水部２ａが取り付けられていない状態を示し、図４（Ｂ）は、本体部１ａに吸水部２ａが取り付けられた状態を示している。図４（Ａ）に示すように、本体部１ａの前側中央部の内側には、連結部３１ａが設けられている。また、この連結部３１ａには係止具３１１が備えられている。一方、図４（Ｂ）に示すように、吸水部２ａにも連結部３２ａが設けられ、この連結部３２ａには、係止具３２１が備えている。このため、本体部１ａの連結部３１ａと吸水部２ａに取り付けられた連結部３２ａを介して、吸水部２ａが本体部１ａに連結される（図４（Ｂ）参照）。下着Ｗにおいて、本体部１ａの前側の中央部に位置するように、吸水部２ａは本体部１ａに吊着される。
【００３１】
連結部３１ａ，３２ａには、柔軟性を有する材料を選択することが好ましく、綿、麻等の天然繊維、レーヨン、アセテート等の再生繊維、ナイロン、ポリエステル等の合成繊維など、衣類の生地として使用可能な材料から、適宜選択できる。
【００３２】
本発明に係る下着Ｗにおいて、本体部１ａに連結部３１ａを設け、吸水部２ａに連結部３２ａを設けることによって、吸水部２ａを本体部１ａに着脱可能とすることができる。吸水部２ａを本体部１ａから着脱可能とするためには、連結部３１ａ，３２ａに設けられた係止具３１１，３２１について、例えば、はとめ具などの着脱可能な部材を選択すれば良い。連結部３２ａ及び係止具３２１の変形実施形態については、後述する。
【００３３】
（４）本体部１ａ内側における吸水部２ａの吊着位置
上述した連結部３１ａ及び連結部３２ａを介して本体部１ａに吊着されている吸水部２ａについて、本体部１ａとの位置関係を、図５を参照しながら説明する。
【００３４】
本発明に係る下着Ｗについて、図１（Ａ）のＰ−Ｐ線の矢視断面図を、図５に示す。吸水部２ａは、吸水部２ａの一部に設けられた連結部３２ａを介して本体部１ａに吊着されいる。吸水部２ａにおいて連結部３２ａが設けられるのは、一部であり、例えば、図２（Ａ）に示すような平面視略楕円形の吸水部２ａであった場合には、吸水部２ａの一端にのみ連結部３２ａが設けられている。連結部３２ａが設けられた吸水部２ａの一部若しくは一端と、対向する部分若しくは一端には、連結部３２ａが設けられていない。このため、吸水部２ａは本体部１ａの内側に吊り下げられ、連結部３２ａを支点に揺動可能な構成となっている。（図４（Ｂ）矢印参照）。
【００３５】
図５に示すように、吸水部２ａの湾曲面の天頂２０Ｓが本体部１ａの前側中央部１０Ｃと対向して、また、本体部１ａの前側中央部１０Ｃに設けられた膨出部１６に、吸水部２ａが収まる構成となっている。このため、下着Ｗの着用時における吸水部２ａと本体部１ａとの一体性が増す。
【００３６】
本発明に係る下着Ｗにおいては、吸水部２ａが本体部１ａに吊着される構成を採用することによって、連結部３１ａ，３２ａを支点として吸水部２ａが本体部１ａの内側で揺動可能となる。このため、男性器の動きに吸水部２ａが追従することにより、男性器が吸水部２ａから外れることがなく、尿が吸水部２ａに確実に吸収される。従って、本発明に係る下着Ｗにおいては、着用者の外尿道口と吸水部２ａとの接触位置が着用中にずれなくなるので、吸水部２ａの外尿道口とのずれを考慮して、吸水部２ａの面積を、男性器への定着に必要な大きさ以上に形成しなくても良い。
【００３７】
従来の男性器を挿入して使用する吸水性部材（例えば、特許文献１）では、吸水部材自体が男性器側に固定される。このため、男性器の動きに追従することはでき、吸水部材の固定位置の安定性は高い。しかし、尿失禁患者が、尿漏れではなく、通常の排尿動作を行う場合には、吸水部材を男性器から取り外し、再び取り付けるといった手間が必要となる。本発明に係る下着Ｗにおいては、吸水部２ａが本体部１ａに備えられている。このため、通常の排尿動作において、吸水部２ａを取り外す手間が必要なく、着用者の排尿準備が簡便となる。なおかつ、吸水部２ａは本体部１ａ内で揺動可能に構成されているため、男性器の動きにも連動する。
【００３８】
また、下着Ｗにおいては、吸水部２ａが連結部３２ａを介して本体部１ａに連結されているため、連結部３１ａ，３２ａに設けられた係止具３１１，３２１を操作することのみで吸水部２ａの本体部１ａからの着脱を行うことができる。吸水部２ａを本体部１ａから着脱可能とすることによって、尿などの水分を吸収した吸水部２ａのみを簡単に交換することが可能となり、尿漏れが生じた際に、本体部１ａまで交換する必要がなく、尿漏れ後の着用者の対応が簡便となる。尿を吸収した吸水部２ａを、尿を吸収していない未使用の吸水部２ａに交換することは、衛生面からも好ましい。また、次の尿漏れが生じた場合、交換後の吸水部２ａにおいては吸水性が回復しているため、漏れ出した尿をより確実に吸収できる。さらに、尿を吸収している部材を長時間着用していることによる匂いの発生の懸念など、着用者の心理的負担が吸水部２ａの交換によって軽減する。
【００３９】
本体部１ａに取り付けられてた吸水部２ａは、本体部１ａの股部１４を覆わない構成とすることが好ましい。下着Ｗにおいては、着用時に、外尿道口が接触する位置に吸水部２ａが備えられていれば、吸水部２ａは、股部１４を覆う位置まで設けられていなくても良いからである。本体部１ａに吊着される吸水部２ａが股部１４を覆わないように構成されることによって、吸水部２ａが小さくなり、吸水部２ａの交換がより簡便となる。また、吸水部２ａが小さくなることで、着用者の感じる下着Ｗの着用時の違和感が減少する。さらに、股部１４に吸水部２ａが設けられていないことによって、下着Ｗの着用時のシルエットがより自然となり、着用者の心理的負担が軽減される。なお、本発明に係る下着Ｗの本体部１ａにおいては、股部１４が他の部分とは別体として構成されているが、本体部１ａが一体成形によって形成されるなどして、股部１４に対応する位置が不明確な場合であっても、着用者の両脚に挟まれる本体部１ａの領域を股部と称する。
【００４０】
２．本体部１ａの変形実施形態
図６は、本発明に係る下着Ｗの本体部１ａの変形実施形態について示す平面模式図である。図６（Ａ）は、本体部１ａに設けられた被覆部材１７ａを、図６（Ｂ）は、本体部１ａに設けられた被覆部材１７ｂを示す。
【００４１】
図６（Ａ）に示すように、連結部３１ａは、本体部１ａの内側に設けられた被覆部材１７ａに覆われている。このため、本体部１ａに設けられた連結部３１ａが本体部１ａ内側に露出されない。
【００４２】
被覆部材１７ａは、例えば、４辺から構成される生地からなり、上辺１７１ａ，右辺１７２ａ及び左辺１７３ａの３辺が本体部１ａに縫着されている。被覆部材１７ａの本体部１ａに縫着されていない一の辺（下辺１７４ａ）に開口部１７５ａが形成されている。開口部１７５ａから吸水部２ａに設けられた連結部３２ａを、被覆部材１７ａと膨出部１６との間に挿入して、本体部１ａに設けられた連結部３１ａと連結する。
【００４３】
被覆部材１７ａの各辺の長さは、右辺１７２ａ及び左辺１７３ａの長さｈ１に比して被覆部材の中央部の長さｈ２が短いことが好ましい。このような構成とすることにより、被覆部材１７ａが下着Ｗの着用時に捲れ上がってしまうことが防止される。
【００４４】
本体部１ａに被覆部材１７ａが設けられることにより、連結部３１ａ，３２ａと、連結部３１ａ，３２ａに備えられた各々の係止具３１１，３２１が、着用者の肌に直接接触しない。このため、着用者の肌が係止具３１１，３２１、あるいは連結部３１ａ，３２ａと擦れることによって傷つくことが防止される。
【００４５】
被覆部材１７ａの面積は、少なくとも連結部３１ａ，３２ａが覆われる大きさに構成されていれば良く、また、被覆部材１７ａの面積は、吸水部２ａと肌とが直接接触することを妨げない大きさでなければならない。被覆部材１７ａの面積が小さすぎると肌を保護する効果が失われる。一方、被覆部材１７ａの面積が大きすぎると尿等の分泌物が被覆部材１７ａに吸収されてしまう。
【００４６】
図６（Ｂ）に、本体部１ａの他の変形実施形態に係る被覆部材１７ｂを示す。被覆部材１７ｂは、連結部３１ａ，３２ａを覆う最も小さい面積となるように構成されている。図６（Ａ）に示す被覆部材１７ａと同様に、被覆部材１７ｂは、上辺１７１ｂ，右辺１７２ｂ及び左辺１７３ｂの３辺が本体部１ａに縫着されている。被覆部材１７ｂの本体部１ａに縫着されていない一の辺（下辺１７４ｂ）に開口部１７５ｂが形成されている。
【００４７】
３．連結部３２ａの変形実施形態
次に、吸水部２ａに設けられる連結部３２ａと、その変形実施形態３２ｂ，３２ｃについて、図７を参照しながら、説明する。図７（Ａ）は、上述した連結部３２ａである。連結部３２ａには、係止具３２１としてスナップ等のはとめ具が設けられている。本体部１ａに設けられた連結部３１ａには、吸水部２ａの連結部３２ａの係止具３２１に対応するはとめ具が係止具３１１として設けられている（図７、連結部３１ａ及び係止具３１１は、不図示）。連結部３２ａに設けられる係止具３２１は、はとめ具に限定されず、例えば、図７（Ｂ）に示す連結部３２ｂのように，係止具３２２として面ファスナーが設けられていても良い。この場合、係止具３２２に選択した部材に応じて、本体部１ａの連結部３１ｂに設けられる係止具３１２の部材も面ファスナーが選択される（図７、連結部３１ｂ及び係止具３１２は、不図示）。
【００４８】
係止具３１１，３１２，３２１，３２２は、本体部１ａ又は吸水部２ａに直接取り付けられるよりも連結部３１ａ，３２ａ，３２ｂに取り付けられることが好ましい。連結部３１ａ，３２ａ，３２ｂを介して本体部１ａと吸水部２ａが吊着されることにより、吸水部２ａの揺動性が向上するためである。
【００４９】
一方、本発明に係る下着Ｗにおいて、係止具３２３が連結部３２ｃを兼ねるように構成されていても良い。例えば、図７（Ｃ）に示すように、連結部３２ｃ（係止具３２３）に、両端が吸水部２ａに縫着されて環状に形成されたゴム紐等を使用しても良い。なお、本体部１ａの連結部３１ｃには、連結部３２ｃ（係止具３２３）に対応するように、係止具３１３としてボタンなどが取り付けられていることが好ましい（図７、連結部３１ｃ及び係止具３１３は、不図示）。
【００５０】
本発明に係る吸水部２ａの連結部及び係止具は、図７に示される構成には限定されず、吸水部２ａが本体部１ａに着脱可能に吊着され、かつ連結部を支点に揺動可能となるように構成されていれば、何れの部材を選択することもできる。
【産業上の利用可能性】
【００５１】
尿失禁患者において、症状の程度は様々であり、尿失禁の症状を除けば、健康で通常の生活を行うことに支障がなく、スポーツなども行うことができる尿失禁患者も存在する。このような、いわゆる軽度尿失禁患者においては、症状を改善するために、できるだけ通常の排尿を行うことを心がける必要がある。また、患者自身も可能な限り、おむつなどを使用せずに通常の下着に近い下着を着用したいと考える場合が多い。本発明に係る下着Ｗは、尿漏れの懸念に対応し、かつ通常の排尿行動の妨げとならないため、特に軽度尿失禁患者に好適に用いられ得る。
【符号の説明】
【００５２】
Ｗ：下着
１ａ：本体部
１０Ｃ：前側中央部
１１Ｌ，１１Ｒ：前身頃
１２：後身頃
１３Ｌ，１３Ｒ：脇部
１４：股部
１５：腰部
１６，１６Ｌ，１６Ｒ：膨出部
１７ａ，１７ｂ：被覆部材
１７１ａ，１７１ｂ：上辺
１７２ａ，１７２ｂ：右辺
１７３ａ，１７３ｂ：左辺
１７４ａ，１７４ｂ：下辺
１７５ａ，１７５ｂ：開口部
２ａ：吸水部
２０Ｓ：天頂
２１Ｌ，２１Ｒ：凸部
２１１：透水層
２１１Ｓ：接触面
２１２，２１４：弾性層
２１３：保水層
２１５：透湿層
２１６：基材 
３１ａ，３１ｂ，３１ｃ，３２ａ，３２ｂ，３２ｃ：連結部
３１１，３１２，３１３，３２１，３２２，３２３：係止具
【図１】
2013227686.tif 000003
【図２】
2013227686.tif 000004
【図３】
2013227686.tif 000005
【図４】
2013227686.tif 000006
【図５】
2013227686.tif 000007
【図６】
2013227686.tif 000008
【図７】
2013227686.tif 000009